【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
電源装置の入力において単相ＡＣ電圧に応答して整流電圧を生成するように結合される整流器を有する前記電源装置に使用するための駆動回路であって、
低電圧キャパシタンスと高電圧キャパシタンスに結合される可変インピーダンス素子に結合される駆動信号を生成するための駆動信号発生器と、
前記駆動信号発生器に結合され、前記高電圧キャパシタンスの両端間の電圧を感知するように結合される電圧センサであって、前記駆動回路は、前記電圧センサに応答して前記可変インピーダンス素子を制御するように結合され、それにより、前記低電圧キャパシタンスと前記高電圧キャパシタンスは、前記高電圧キャパシタンスの両端間の前記電圧が第２の閾値未満である場合、前記電源装置の前記入力からの電流を受け取ることが可能になり、前記低電圧キャパシタンスは、前記高電圧キャパシタンスの両端間の前記電圧が第１の閾値より大きい場合、前記電源装置の前記入力からの電流を受け取るのが回避される、電圧センサと、
を備える駆動回路。
【請求項２】
前記第１の閾値電圧と前記第２の閾値電圧とは実質的に等しい、請求項１に記載の駆動回路。
【請求項３】
前記可変インピーダンス素子はトランジスタを含んでいる、請求項１に記載の駆動回路。
【請求項４】
前記高電圧キャパシタンスの両端間の前記電圧はＤＣ−ＤＣコンバータの入力に結合される、請求項１に記載の駆動回路。
【請求項５】
前記可変インピーダンス素子及び前記駆動回路は集積回路内に含まれる、請求項１に記載の駆動回路。
【請求項６】
前記可変インピーダンス素子及び前記駆動回路は、ＤＣ−ＤＣコンバータ制御回路と共に集積回路内に含まれる、請求項１に記載の駆動回路。
【請求項７】
前記駆動回路は、前記可変インピーダンス素子の両端間の電圧の変化率にさらに応答する、請求項１に記載の駆動回路。
【請求項８】
前記高電圧キャパシタンスと前記低電圧キャパシタンスの定格電圧の比率は、２：１に等しいか、又はそれより大きい、請求項１に記載の駆動回路。
【請求項９】
整流単相ＡＣ入力電圧より動作する電源装置を制御する方法であって、
前記電源装置のＤＣ−ＤＣコンバータへの入力において電圧を感知するステップと、
前記感知された電圧が第２の閾値未満である場合、前記電源装置の入力に結合される高電圧キャパシタンスと低電圧キャパシタンスを係合するステップと、
前記感知された電圧が第１の閾値より大きい場合、前記低電圧キャパシタンスを切り離すステップと、
を含む方法。
【請求項１０】
前記第１及び第２の閾値は実質的に等しい、請求項９に記載の方法。
【請求項１１】
前記低電圧キャパシタンスと前記高電圧キャパシタンスを係合するステップは、前記低電圧キャパシタンスと前記高電圧キャパシタンスが前記電源装置の前記入力からの電流を受け取ることを可能にするステップを含む、請求項９に記載の方法。
【請求項１２】
エネルギー貯蔵回路の前記低電圧キャパシタンスを切り離すステップは、前記低電圧キャパシタンスが前記電源装置の前記入力からの電流を受け取るのを回避するステップを含む、請求項９に記載の方法。
【請求項１３】
単相ＡＣ入力電圧を受け取るように結合される整流器と、
前記整流器に結合され、高電圧キャパシタンス、低電圧キャパシタンス、及び可変インピーダンス素子を含むエネルギー貯蔵回路であって、前記整流器から受け取られた電流は、前記高電圧キャパシタンスの両端間に電圧を生成するように結合され、前記低電圧キャパシタンスは、前記高電圧キャパシタンスに結合され、前記可変インピーダンス素子は、前記低電圧キャパシタンス及び前記高電圧キャパシタンスに結合される、エネルギー貯蔵回路と、
前記高電圧キャパシタンスの両端間の前記電圧に応答して駆動信号を生成するように結合される駆動回路であって、前記駆動信号は、前記高電圧キャパシタンスの両端間の前記電圧が第１の閾値電圧より大きい場合、前記低電圧キャパシタンスが前記整流器からの電流を受け取るのを防ぐために、及び前記高電圧キャパシタンスの両端間の前記電圧が第２の閾値電圧未満である場合、前記低電圧キャパシタンスと前記高電圧キャパシタンスが前記整流器からの電流を受け取ることを可能にするために、前記可変インピーダンス素子によって受け取られるように結合される、駆動回路と、
を備える電源装置。
【請求項１４】
前記第１の閾値電圧と前記第２の閾値電圧とは実質的に等しい、請求項１３に記載の電源装置。
【請求項１５】
前記可変インピーダンス素子はトランジスタを含む、請求項１３に記載の電源装置。
【請求項１６】
前記可変インピーダンス素子は、前記低電圧キャパシタンスと前記高電圧キャパシタンスに結合されるダイオードをさらに備える、請求項１３に記載の電源装置。
【請求項１７】
前記駆動回路は、前記整流電圧に応答して前記可変インピーダンス素子によって受け取られる前記駆動信号を生成するように結合される分流調整器を備える、請求項１３に記載の電源装置。
【請求項１８】
前記整流電圧はＤＣ−ＤＣコンバータへの入力に結合される、請求項１３に記載の電源装置。
【請求項１９】
前記可変インピーダンス素子及び前記駆動回路は集積回路内に含まれる、請求項１３に記載の電源装置。
【請求項２０】
前記可変インピーダンス素子及び前記駆動回路は、ＤＣ−ＤＣコンバータ制御回路と共に集積回路内に含まれる、請求項１３に記載の電源装置。
【請求項２１】
前記駆動回路は、前記可変インピーダンス素子の両端間の電圧の変化率に応答して駆動信号を生成するように結合される、請求項１３に記載の電源装置。
【請求項２２】
前記高電圧キャパシタンスと前記低電圧キャパシタンスの定格電圧の比率は、２：１に等しいか、又はそれより大きい、請求項１３に記載の電源装置。
【請求項２３】
電源装置の入力において単相ＡＣ電圧に応答して整流電圧を生成するように結合される整流器を有する前記電源装置に使用するための電源装置コントローラ回路であって、
前記電源装置の出力へのエネルギーの転送を制御するために、第１の可変インピーダンス素子を切り替えるように結合されるＤＣ−ＤＣコンバータ・コントローラ回路と、
低電圧キャパシタンスと高電圧キャパシタンスに結合される第２の可変インピーダンス素子に結合される駆動信号を生成するための駆動信号発生器、及び
前記駆動信号発生器に結合され、前記高電圧キャパシタンスの両端間の電圧を感知するように結合される電圧センサであって、前記駆動回路は、前記電圧センサに応答して前記第２の可変インピーダンス素子を制御するように結合され、それにより、前記低電圧キャパシタンスと前記高電圧キャパシタンスは、前記高電圧キャパシタンスの両端間の前記電圧が第２の閾値未満である場合、前記電源装置の前記入力からの電流を受け取ることが可能になり、前記低電圧キャパシタンスは、前記高電圧キャパシタンスの両端間の前記電圧が第１の閾値より大きい場合、前記電源装置の前記入力からの電流を受け取るのが回避される、電圧センサを
含む駆動回路と、
を備える電源装置コントローラ回路。
【請求項２４】
前記第１及び第２の可変インピーダンス素子、前記ＤＣ−ＤＣコンバータ・コントローラ回路、及び前記駆動回路は、集積回路内に含まれる、請求項２３に記載の電源装置コントローラ回路。
【請求項２５】
前記高電圧キャパシタンスと前記低電圧キャパシタンスの定格電圧の比率は、２：１に等しいか、又はそれより大きい、請求項２３に記載の電源装置コントローラ回路。
【手続補正２】
【補正対象書類名】明細書
【補正対象項目名】００２６
【補正方法】変更
【補正の内容】
【００２６】
また、図４は、トランジスタＱ１  ３５５が、それぞれオフ及びオンである場合の典型的なリップル電圧４３０及び４４０を示している。一実施例４５０では、トランジスタＱ１  ３５５がリップル電圧の周波数においてオン及びオフになるように、単相ＡＣ入力電圧１０５が典型的な値である場合、整流電圧ＶＲＥＣＴ１１５のピークは閾値４３５を上回り、整流電圧ＶＲＥＣＴ１１５の谷は閾値４３５を下回る。